(57)【特許請求の範囲】
【請求項１】
表示部において端末装置との接触位置を検知することにより、前記接触位置に基づいて前記表示部に表示されたコンテンツを特定する検知手段と、
前記端末装置から、識別情報を受信する受信手段と、
特定された前記コンテンツの表示が変更されているかどうかを判定する判定手段と、
前記判定手段で変更されていないと判定された場合、特定された前記コンテンツの表示を変更する表示制御手段と、
前記判定手段で変更されていないと判定された場合、前記受信した識別情報を特定された前記コンテンツに対応付けて保持する保持手段を有することを特徴とするコンテンツ表示制御装置。
【請求項２】
前記判定手段で変更されていると判定された場合、前記表示制御手段は、特定された前記コンテンツの表示を前記変更される前に戻し、さらに、前記保持手段は、特定された前記コンテンツに対応する識別情報を消去することを特徴とする請求項１に記載のコンテンツ表示制御装置。
【請求項３】
前記判定手段で変更されていると判定され、前記受信手段の受信した識別情報と前記保持手段に保持されている識別情報とが一致するかを認証する認証手段をさらに有し、前記認証手段で一致すると認証された場合、前記表示制御手段は特定された前記コンテンツの表示を前記変更される前に戻すことを特徴とする請求項１に記載のコンテンツ表示制御装置。
【請求項４】
前記表示制御手段は、前記判定手段で変更されていないと判定された場合、特定された前記コンテンツを非表示にし、前記コンテンツの位置を示すマークを表示することを特徴とする請求項１に記載のコンテンツ表示制御装置。
【請求項５】
前記表示制御手段は、前記判定手段で変更されていないと判定された場合、特定された前記コンテンツの視野角を変更して表示することを特徴とする請求項１に記載のコンテンツ表示制御装置。
【請求項６】
前記表示制御手段は、前記判定手段で変更されていないと判定された場合、特定された前記コンテンツを縮小して表示することを特徴とする請求項１に記載のコンテンツ表示制御装置。
【請求項７】
前記表示制御手段は、前記判定手段で変更されていないと判定された場合、特定された前記コンテンツの解像度を低解像度にして表示することを特徴とする請求項１に記載のコンテンツ表示制御装置。
【請求項８】
コンピュータに読み込ませ実行させることで、前記コンピュータを、請求項１及至７のいずれか１項に記載のコンテンツ表示制御装置の各手段として機能させることを特徴とするプログラム。
【請求項９】
請求項８に記載のコンピュータプログラムを格納した、コンピュータ読み取り可能な記憶媒体。
【請求項１０】
コンテンツ表示制御装置の制御方法であって、
検知手段が、表示部において端末装置との接触位置を検知することにより、前記接触位置に基づいて前記表示部に表示されたコンテンツを特定する検知工程と、
受信手段が、前記端末装置から、識別情報を受信する受信工程と、
判定手段が、特定された前記コンテンツの表示が変更されているかどうかを判定する判定工程と、
表示制御手段が、前記判定工程で変更されていないと判定された場合、特定された前記コンテンツの表示を変更する表示制御工程と、
保持手段が、前記判定工程で変更されていないと判定された場合、前記受信した識別情報を特定された前記コンテンツに対応つけて保持する保持工程を有することを特徴とするコンテンツ表示制御装置の制御方法。
【請求項１１】
前記判定工程で変更されていると判定された場合、特定された前記コンテンツの表示を前記変更される前に戻す工程と、特定された前記コンテンツに対応する識別情報を消去する工程を有することを特徴とする請求項１０に記載のコンテンツ表示制御装置の制御方法。
【請求項１２】
認証手段が、前記判定手段で変更されていると判定され、前記受信手段の受信した識別情報と前記保持手段に保持されている識別情報とが一致するかを認証し、前記認証手段で一致すると認証された場合、前記表示制御手段は特定された前記コンテンツの表示を前記変更される前に戻すことを特徴とする請求項１０に記載のコンテンツ表示制御装置の制御方法。
【請求項１３】
前記表示制御工程は、前記判定工程で変更されていないと判定された場合、特定された前記コンテンツを非表示にし、前記コンテンツの位置を示すマークを表示することを特徴とする請求項１０に記載のコンテンツ表示制御装置の制御方法。
【請求項１４】
前記表示制御工程は、前記判定工程で変更されていないと判定された場合、特定された前記コンテンツの視野角を変更して表示することを特徴とする請求項１０に記載のコンテンツ表示制御装置の制御方法。
【請求項１５】
前記表示制御工程は、前記判定工程で変更されていないと判定された場合、特定された前記コンテンツを縮小して表示することを特徴とする請求項１０に記載のコンテンツ表示制御装置の制御方法。
【請求項１６】
前記表示制御工程は、前記判定工程で変更されていないと判定された場合、特定された前記コンテンツの解像度を低解像度にして表示することを特徴とする請求項１０に記載のコンテンツ表示制御装置の制御方法。
【発明の詳細な説明】
【技術分野】
【０００１】
本発明はコンテンツの表示方法を変更するための技術に関する。
【背景技術】
【０００２】
携帯電話をディスプレイ上に接触させることにより、カメラ、携帯電話内にあるコンテンツをディスプレイ上に貼り付け表示させる技術が存在する（特許文献１）。
【先行技術文献】
【特許文献】
【０００３】
【特許文献１】特開２００７−３１６９２５号公報
【発明の概要】
【発明が解決しようとする課題】
【０００４】
しかしながら、ディスプレイ上に貼り付けを行っている人物が、一旦席を離れる場合には、貼り付けてあるコンテンツを他人に見られてしまうことがないようにコンテンツをディスプレイ上から消去することは困難であった。
そこで、本発明では、コンテンツの表示を容易な操作で変更でき、かつ、第三者が変更を解除できないコンテンツ表示制御装置を提供することを目的とする。
【課題を解決するための手段】
【０００５】
上記課題を解決するために、本発明の情報処理装置は、表示部において端末装置との接触位置を検知することにより、前記接触位置に基づいて前記表示部に表示されたコンテンツを特定する検知手段と、前記端末装置から、識別情報を受信する受信手段と、特定された前記コンテンツの表示が変更されているかどうかを判定する判定手段と、前記判定手段で変更されていないと判定された場合、特定された前記コンテンツの表示を変更する表示制御手段と、前記判定手段で変更されていないと判定された場合、前記受信した識別情報を特定された前記コンテンツに対応つけて保持する保持手段を有することを特徴とする。
【発明の効果】
【０００６】
本発明によれば、コンテンツの表示を容易な操作で変更でき、かつ、第三者が変更を解除できないようにできる。
【図面の簡単な説明】
【０００７】
【図１】本発明におけるシステム構成を表すブロック図
【図２】コンテンツ表示制御装置のフローチャートを示す図
【図３】変更方法１、３、４を説明する図
【図４】変更方法２を説明する図
【図５】変更方法２において、人物が移動した場合を説明する図
【図６】テーブルを説明する図
【発明を実施するための形態】
【０００８】
＜実施形態１＞
図１は、本発明の実施形態によるシステム構成を表すブロック図である。１０１は、識別情報を有する端末装置であり、例えば携帯端末やＩＤカードである。１０２は、コンテンツ表示制御装置であり、例えば大型テレビのディスプレイなどである。１０３は、コンテンツ表示部である。１０４は、端末装置１０１の識別情報（例えば個人の氏名や会員番号、端末を特定できる情報など）を保持する識別情報保持部である。１０５は、端末装置１０１とコンテンツ表示制御装置１０２との通信を行う端末装置１０１内部の通信部である。１０６は、端末装置１０１とコンテンツ表示制御装置１０２との通信を行うコンテンツ表示制御装置１０２内部の通信部である。１０７は、コンテンツが端末装置１０１によって選択されたことを検知する選択検知部である。１０８は、端末装置１０１と選択されたコンテンツの認証を行う認証部である。１０９は、コンテンツの表示を制御するコンテンツ表示制御部である。１１０は、表示部１０３に表示されているコンテンツのコンテンツ情報と、コンテンツの表示位置を示す位置情報と、図６で示すテーブルを保持する保持部である。１１１は、表示されているコンテンツが、表示が変更されているかどうかを判定する判定部である。
【０００９】
図６は、保持部１１０で保持するテーブルである。テーブルには、表示されているコンテンツごとに、表示が変更されているかを示す変更フラグ、表示を変更した端末装置から受信した識別情報が含まれる。図６（ａ）は、コンテンツＡ、Ｂともに、表示が変更されていない状態のテーブルの例、図６（ｂ）は、コンテンツＡのみ、表示が変更されている状態のテーブルの例である。ここでは、コンテンツＡとコンテンツＢが表示部１０３に表示されている。変更フラグは、表示が変更されている場合は、１とし、変更されていない場合に、０とする。識別情報は、表示が変更されていない場合は、ブランクとし、表示が変更されている場合は、変更した端末装置の識別情報が保持される。
【００１０】
図２は、コンテンツ表示制御装置１０２のフローチャートである。
【００１１】
ステップＳ２０１で、選択検知部１０７が、表示部１０３に表示されているコンテンツへの接触を検知する。端末装置１０１が表示部１０３に表示されているコンテンツに接触させると、選択検知部１０７は、接触があったことと、接触の位置を検知する。ステップＳ２０１でＹｅｓの場合は、ステップＳ２０２で、選択検知部１０７が、検知した接触の位置と保持部１１０に保持されている位置情報より、選択されたコンテンツを特定する。ステップＳ２０１とステップＳ２０２における選択検知は、抵抗膜式タッチパネルなどを用いて接触とその位置を検出する。
【００１２】
ステップＳ２０３で、通信部１０６は、ステップＳ２０１で接触を検知した端末装置１０１に、識別情報を要求する。ステップＳ２０４で、通信部１０６は、端末装置１０１の通信部１０５から、識別情報を受信し、受信した識別情報は認証部１０８に入力される。尚、ステップＳ２０４で、識別情報が受信できない場合は、ステップＳ２０５以降の処理は行わない。ステップＳ２０３とステップＳ２０４における通信を行うための手段としてはＩＣカードの無線通信などがある。
【００１３】
ステップＳ２０５で、判定部１１１は、保持部１１０が保持するテーブルのうち、ステップＳ２０２で特定されたコンテンツの変更フラグが０かどうかを判定する。
【００１４】
ステップＳ２０５でＹｅｓと判定されたとき、つまり、コンテンツの表示が変更されていない状態のとき、ステップＳ２０６で、表示制御部１０９がコンテンツの表示を変更する。変更方法については、後述する。ステップＳ２０７で、保持部１１０は、保持するテーブルに、ステップＳ２０４で受信した識別情報を記憶し、さらに、変更フラグを１にする。
【００１５】
ステップＳ２０５でＮｏと判定されたとき、つまり、コンテンツの表示が変更されている状態のとき、ステップＳ２０８で、認証部１０８が識別情報の認証を行う。認証部１０８は、保持部１１０に保持されたテーブルのうち、ステップＳ２０２で特定したコンテンツに対応づけられた識別情報と、Ｓ２０４で受信した識別情報が一致するかを判定する。
【００１６】
ステップＳ２０８でＹｅｓと判定された場合は、ステップＳ２０９で、表示制御部１０９は、保持部１１０のコンテンツ情報をもとに、元のコンテンツ（ステップＳ２０６で変更される前のコンテンツ）に戻して表示する。ステップＳ２１０で、保持部１１０は、保持するテーブルのうち、ステップＳ２０２で特定したコンテンツに対応づけられた識別情報を消去し、さらに、変更フラグを０にする。
以下、ステップＳ２０６で行う、コンテンツの表示を変更する方法について、４つ述べる。
【００１７】
（１）変更方法１：コンテンツを非表示にする
図３（ａ）、（ｂ）は、コンテンツ表示制御装置１０２の表示部１０３に表示されているコンテンツ３０１に端末装置１０１が接触し、表示が変更される場合の例を説明する図である。図３（ａ）は、表示されているコンテンツ３０１に端末装置１０１が接触し、その後、図３（ｂ）は、コンテンツが非表示になり、コンテンツの位置を示す点線を表示する。点線を表示するのは、非表示となったコンテンツの表示されていた位置を特定できるようにするものであって、点線でなくても、実線でも、４隅をマークするなどでも構わない。ここでの処理は、ステップＳ２０６で、表示制御部１０９は、コンテンツを非表示にし、保持部１１０のコンテンツの表示位置を示す位置情報に基づいて、コンテンツの表示位置を表示する。
図３（ｃ）、（ｄ）は、非表示になっているコンテンツ３０２に端末装置１０１が接触し、表示が元に戻される場合の例を説明する図である。図３（ｃ）は、点線でコンテンツの表示位置が表示されている領域に端末装置１０１が接触している例である。その後、図３（ｄ）は、元のコンテンツが表示される。図３（ｄ）は、図２のステップＳ２０９に相当する処理を行った後の状態である。
【００１８】
（２）変更方法２：視野角を変更する
図４（ａ）は人物とディスプレイの関係を、正面から、図４（ｂ）は真上から見た図である。ここでは、人物Ａは変更を行った端末装置を保持しているとする。人物Ａがテーブル型ディスプレイ４０１上のコンテンツ４０２を端末装置で接触することで、コンテンツの視野角が変更される。このとき、視野角は端末装置１０１を接触させた人物の方向のみ、つまり図４（ｂ）に示すように４０３内部の人物Ａがいる方向のみに変更され、人物Ｂからは閲覧できなくなる。ここでの処理は、ステップＳ２０６で、表示制御部１０９は、保持部１１０のコンテンツ情報から、所定の視野角のみコンテンツを閲覧できるように視野角を制御して、表示する。その結果、図４（ｃ）のように、人物Ａがコンテンツ４０２に端末装置１０１を接触させると、視野角変更後でも人物Ａにはコンテンツが見えるが、人物Ｂは視野角変更後コンテンツを閲覧することが出来なくなる。
尚、変更を行った端末装置を保持している人物が移動した場合でも、その移動に基づいて、表示を変更させてもよい。その場合は、端末装置１０１と選択したコンテンツとの相対的な位置関係を、無線通信などの相対位置検出手段を用いて検知し、人物の位置を定期的に確認する。図５は、人物Ａが移動した場合の例である。図５（ａ）のように人物Ａが移動し、人物Ａとコンテンツとの相対位置が５０１から５０２に変化したとする。このとき人物Ａの持つ端末装置と表示制御部１０９が無線通信することで相対位置の変化を検出し、視野角の方向も４０３から５０３のように同じだけ変化させる。すると、図５（ｂ）のように人物Ａは移動後も同じようにコンテンツを閲覧でき、人物Ｂは閲覧が出来ないままとなる。
【００１９】
（３）変更方法３：コンテンツを縮小する
コンテンツを縮小する場合は、ステップＳ２０６で、表示制御部１０９は、保持部１１０のコンテンツ情報から、コンテンツを縮小し、縮小したコンテンツを表示する。図３（ｅ）は、縮小されたコンテンツの表示例である。
【００２０】
（４）変更方法４：コンテンツの解像度を低解像度にする
コンテンツの解像度を低解像度にする場合は、ステップＳ２０６で、表示制御部１０９は、保持部１１０のコンテンツ情報から、コンテンツの解像度を低解像度にし、低解像度のコンテンツを表示する。図３（ｆ）は、低解像度のコンテンツの表示例である。
変更方法３、４は、端末装置を持たない人物も、コンテンツ自体は見ることができるが、縮小や低解像度にすることによって、コンテンツを見にくくすることができる。よって、縮小率や、解像度のレベルは、コンテンツを見にくくするレベルに設定することが望ましい。
【００２１】
本実施形態では、テーブルに、変更フラグを保持しておき、変更されているかどうかを変更フラグで判定していた。しかし、テーブルに変更フラグを保持せずに、ステップＳ２０５は、テーブル内に、識別情報が記憶されているかどうかで、変更されているかどうかを判定してもよい。その場合は、保持すべきテーブルのサイズを小さくできる。また、テーブルの識別情報は、表示が変更されていない場合は、ブランクとしたが、それに限らず、０という値を入れてもよい。
【００２２】
本実施形態は、コンテンツ表示制御装置１０２が表示部１０３を有するようにしていたが、表示部１０３は外部装置であってもよい。
【００２３】
本実施形態によれば、携帯端末やＩＤカードといった個人や端末を特定できる端末装置を近づけることで表示部に表示されているコンテンツの表示を変更し、同時にコンテンツにセキュリティを与えることができる。また、端末装置の接触によりコンテンツの選択をしており、表示部に表示されているコンテンツの表示を直感的な操作で変更出来る。さらに変更の解除は、変更した端末装置でないと行えないため、第三者が勝手に解除出来ず、セキュリティ面も効果が得られる。
【００２４】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005610872.tif 000002
【図２】
0005610872.tif 000003
【図３】
0005610872.tif 000004
【図４】
0005610872.tif 000005
【図５】
0005610872.tif 000006
【図６】
0005610872.tif 000007